(57)【要約】【課題】受信装置が対応していない表示形式の信号を受信すると、その受信装置が誤動作する場合がある。【解決手段】受信装置１０は、小振幅差動方式によって伝送されたデジタルビデオデータを含む表示用信号を受信する受信部１２と、受信部において受信された表示用信号について技術項目別の記述ルールを検出するビデオ信号記述ルール検出部１６と、所定の表示形式の技術項目別の記述ルールをあらかじめ保持する記述ルール保持部２０と、ビデオ信号記述ルール検出部１６によって検出された技術項目別の記述ルールと記述ルール保持部２０に保持されている技術項目別の記述ルールとを技術項目ごとに比較して表示用信号の表示形式を検出する表示形式検出部１８と、表示形式検出部１８における検出結果に応じて動作モードを制御する動作モード制御部２２と、を備える。【選択図】図１
2007110215.tif 000002
【特許請求の範囲】
【請求項１】
小振幅差動方式によって伝送されたデジタルビデオデータを含む表示用信号を受信する受信部と、
前記受信部において受信された表示用信号について技術項目別の記述ルールを検出する記述ルール検出部と、
所定の表示形式の技術項目別の記述ルールをあらかじめ保持する記述ルール保持部と、
前記記述ルール検出部によって検出された技術項目別の記述ルールと前記記述ルール保持部に保持されている技術項目別の記述ルールとを技術項目ごとに比較して前記表示用信号の表示形式を検出する表示形式検出部と、
前記表示形式検出部における検出結果に応じて動作モードを制御する動作モード制御部と、
を備えることを特徴とする受信装置。
【請求項２】
前記動作モード制御部は、前記表示形式検出部が非対応の表示形式を検出したとき、前記受信部の受信動作を制限することを特徴とする請求項１に記載の受信装置。
【請求項３】
前記動作モード制御部は、前記表示形式検出部により表示形式を検出された前記表示用信号の処理に使用されない回路の動作を停止させることを特徴とする請求項１または２に記載の受信装置。
【請求項４】
前記表示用信号は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格またはＤＶＩ（Ｄｉｇｉｔａｌ  Ｖｉｓｕａｌ  Ｉｎｔｅｒｆａｃｅ）規格に準拠することを特徴とする請求項１から３のいずれかに記載の受信装置。
【請求項５】
少なくとも前記受信部および前記記述ルール検出部が１つの半導体基板上に一体集積化されたことを特徴とする請求項１から４のいずれかに記載の受信装置。
【請求項６】
請求項１から５のいずれかに記載の受信装置と、
前記受信装置から出力された信号を用いて画像を表示する画像表示部と、
を備えることを特徴とする電子機器。
【請求項７】
小振幅差動方式によって伝送されたデジタルビデオデータを含む表示用信号を受信する受信ステップと、
前記受信ステップにおいて受信した表示用信号の技術項目別の記述ルールを検出する記述ルール検出ステップと、
前記記述ルール検出ステップにおいて検出した技術項目別の記述ルールと所定の表示形式の技術項目別の記述ルールとを技術項目ごとに比較して前記表示用信号の表示形式を検出する表示形式検出ステップと、
前記表示形式検出ステップにおける検出結果に応じて前記表示用信号を受信する受信装置の動作モードを制御する動作モード制御ステップと、
を備えることを特徴とする受信方法。
【発明の詳細な説明】
【技術分野】
【０００１】
本発明は、小振幅差動方式によって伝送されたデジタルビデオデータを含む表示用信号を受信する技術に関する。
【背景技術】
【０００２】
近年、映像や音声の送信装置と受信装置を１本のケーブルで接続し、映像や音声のデジタルデータを伝送させる小振幅差動方式なる伝送方式が普及しつつある。小振幅差動方式は、２本の信号線に位相が１８０度ずれた信号を通すので、低い電圧でも強い信号を伝送できる。小振幅差動方式に準拠する規格として、例えば、ＤＶＩ（Ｄｉｇｉｔａｌ  Ｖｉｓｕａｌ  Ｉｎｔｅｒｆａｃｅ）規格やＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格が挙げられる。ＤＶＩ規格は、映像データを転送に用いられ、パーソナルコンピュータ（Ｐｅｒｓｏｎａｌ  Ｃｏｍｐｕｔｅｒ。以下「ＰＣ」とも表記する）とディスプレイの接続標準規格となっている。ＨＤＭＩ規格は、ＤＶＩ規格をＡＶ（Ａｕｄｉｏ  Ｖｉｓｕａｌ）家電向けにアレンジしたもので、映像データに加え、音声データおよび装置間の制御信号の転送が可能である。特許文献１には、ＤＶＩ規格に準拠するビデオ信号のブランキング期間に映像以外を表すデータ信号を多重化して伝送する技術が開示されている。
【特許文献１】特開２００３−８７７５２号公報
【発明の開示】
【発明が解決しようとする課題】
【０００３】
小振幅差動方式に準拠した信号を用いて画像を表示する画像表示装置に含まれる受信装置においては、対応可能な表示形式があらかじめ定められている。従来、小振幅差動方式に準拠した信号を受信する受信装置には、受信信号の表示形式を検出する機能が設けられていなかった。従って、受信装置とその受信装置に対応していない表示形式の信号を送信する送信装置とをユーザが誤って接続した場合、受信装置が誤動作する場合がある。また、この場合、受信装置の規定動作周波数以上の信号が入力されたときには、許容電力を超えて受信装置が破損する場合もある。
【０００４】
本発明は、上述の事情を鑑みてなされたものであり、その目的は、複数の表示形式のそれぞれに適応した受信装置の動作を実現することにある。
【課題を解決するための手段】
【０００５】
本発明の一態様は、受信装置に関する。この受信装置は、小振幅差動方式によって伝送されたデジタルビデオデータを含む表示用信号を受信する受信部と、受信部において受信された表示用信号について技術項目別の記述ルールを検出する記述ルール検出部と、所定の表示形式の技術項目別の記述ルールをあらかじめ保持する記述ルール保持部と、記述ルール検出部によって検出された技術項目別の記述ルールと記述ルール保持部に保持されている技術項目別の記述ルールとを技術項目ごとに比較して表示用信号の表示形式を検出する表示形式検出部と、表示形式検出部における検出結果に応じて動作モードを制御する動作モード制御部と、を備える。ここで、「技術項目」とは、信号を特徴付ける属性であってもよい。「記述ルール」とは、信号のアクティブレベルやタイミング等の信号の記述に関する仕様であってもよい。
【０００６】
この態様によれば、動作モード制御部は、表示形式検出部によって検出された表示形式に応じて回路を動作させるので、複数の表示形式のそれぞれに適応させて、最適な受信システムを構築することができる。
【０００７】
動作モード制御部は、表示形式検出部が非対応の表示形式を検出したとき、受信部の受信動作を制限してもよい。この態様によれば、表示形式検出部において、受信装置が対応していない表示形式が検出されたとき、動作モード制御部が、例えば、受信部が入力信号の受信動作を停止させるように制御することにより、受信装置の誤動作を回避できる。
【０００８】
動作モード制御部は、表示形式検出部により表示形式を検出された表示用信号の処理に使用されない回路の動作を停止させてもよい。この態様によれば、動作モード制御部は、検出された表示用信号の処理に使用されない回路の動作を停止させるのでその分の消費電力を低減できる。
【０００９】
表示用信号は、ＨＤＭＩ規格またはＤＶＩ規格に準拠してもよい。これによって、ＨＤＭＩ規格またはＤＶＩ規格のそれぞれに準拠する表示用信号を受信する受信装置において、複数の表示形式のそれぞれに適応した良好な動作を実現できる。
【００１０】
受信装置において、少なくとも受信部および記述ルール検出部が１つの半導体基板上に一体集積化されてもよい。なお、「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。制御回路を１つのＬＳＩとして集積化することにより、回路面積を削減することができる。
【００１１】
本発明の別の態様は、電子機器に関する。この電子機器は、上述のいずれかに記載の受信装置と、受信装置から出力された信号を用いて画像を表示する画像表示部と、を備える。この態様によれば、受信装置は表示形式検出部により検出された表示形式に適応して動作し、画像表示部はその受信装置から出力された信号を用いて画像を表示する。これによって、画像表示部は、検出された表示形式に適応して画像を良好に表示できる。
【００１２】
本発明の別の態様は、受信方法に関する。この受信方法は、小振幅差動方式によって伝送されたデジタルビデオデータを含む表示用信号を受信する受信ステップと、受信ステップにおいて受信した表示用信号の技術項目別の記述ルールを検出する記述ルール検出ステップと、記述ルール検出ステップにおいて検出した技術項目別の記述ルールと所定の表示形式の技術項目別の記述ルールとを技術項目ごとに比較して表示用信号の表示形式を検出する表示形式検出ステップと、表示形式検出ステップにおける検出結果に応じて表示用信号を受信する受信装置の動作モードを制御する動作モード制御ステップと、を備える。
【００１３】
この態様によれば、動作モード制御ステップにおいて、表示形式検出ステップにて検出された表示形式に対応して受信装置の動作が制御されるので、複数の表示形式の信号のそれぞれに適応して、良好に受信装置を動作させることができる。
【００１４】
なお、以上の構成要素の任意の組合せ、本発明の表現を方法、装置、システム、コンピュータプログラムなどの間で変換したものもまた、本発明の態様として有効である。
【発明の効果】
【００１５】
本発明によれば、複数の表示形式のそれぞれに適応した受信装置の動作を実現できる。
【発明を実施するための最良の形態】
【００１６】
本実施の形態の概要を述べる。本実施の形態では、受信したオーディオビジュアル信号（以下、「ＡＶ信号」と表記する）を用いて画像の表示および音声の再生を実行する画像表示装置に含まれる受信装置が、ＡＶ信号の技術項目別の記述ルールを検出し、検出した技術項目別の記述ルールとあらかじめ保持されている技術項目別の記述ルールとを技術項目ごとに比較して、ＡＶ信号の表示形式を検出する。この検出結果に応じて受信装置の動作モードを決定することにより、受信装置の誤動作を回避する。
【００１７】
図１は、実施の形態に係る電子機器の構成を示すブロック図である。この電子機器は、小振幅差動方式によって伝送されたデジタルのＡＶ信号を用いて画像を表示し、音声を再生する。ＡＶ信号は、ビデオ信号およびオーディオ信号を含む。本実施の形態において、電子機器は、ＨＤＭＩ規格に準拠するＡＶ信号を用いて画像を表示し、音声を再生する画像表示装置として説明する。
【００１８】
画像表示装置１００は、例えば、ＨＤＭＩ規格に対応した接続口を備えるテレビジョン信号受信装置である。このテレビジョン信号受信装置では、通常はアンテナから受信した映像を表示するが、例えば、ＨＤＭＩ規格に準拠したケーブルにより接続されたＤＶＤプレイヤーから出力されたＡＶ信号を用いて画像を表示し、音声を再生することも可能である。
【００１９】
画像表示装置１００は、受信装置１０、スピーカ２４および画像表示部２６を含む。受信装置１０には、小振幅差動方式によって伝送されたＨＤＭＩ規格に準拠するＡＶ信号が入力される。ＨＤＭＩ規格においては、オーディオデータはビデオ信号のブランキング期間に圧縮多重化および重畳されている。画像表示部２６は、受信装置１０から出力される信号に含まれるビデオ信号を用いて画像を表示する。スピーカ２４は、受信装置から出力される信号に含まれるオーディオ信号を用いて音声を再生する。
【００２０】
受信装置１０は、受信部１２、ビデオ信号記述ルール検出部１６、表示形式検出部１８、記述ルール保持部２０および動作モード制御部２２を含む。受信部１２は、受信装置１０に入力されたＡＶ信号をＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）復号した後、ビデオ信号とオーディオ信号を分離する。
【００２１】
受信部１２には図示しない信号生成部が含まれており、この信号生成部は、ビデオ信号を用いて水平同期信号、垂直同期信号およびデータイネーブル信号を生成する。具体的には、ビデオ信号におけるビデオデータ区間とブランキング区間の間に特有の複数のビットが設けられており、信号生成部はそのビットの位置を検出して水平同期信号および垂直同期信号を生成する。ここで、水平同期信号を示すビットの値と垂直同期信号の値は異なる。信号生成部は、そのビットの値を検出して水平同期信号と垂直同期信号をそれぞれ生成する。また、データイネーブル信号は、ビデオデータ区間においてハイレベルとなるような信号として生成される。以下、信号について「ハイレベル」を「ハイ」、「ローレベル」を「ロー」と表記する。
【００２２】
受信部１２は、ビデオ信号を、輝度信号（Ｙ）、輝度信号と青色成分の差（Ｕ）、輝度信号と赤色成分の差（Ｖ）の３つの情報で色を表すＹＵＶ信号として出力する。受信部１２は、ビデオ信号がＲＧＢ（Ｒｅｄ  Ｇｒｅｅｎ  Ｂｌｕｅ）信号である場合には、そのビデオ信号をＹＵＶ信号に変換して出力する。なお、受信部１２およびビデオ信号記述ルール検出部１６は、１つの半導体基板上に一体集積化されている。
【００２３】
ビデオ信号記述ルール検出部１６は、受信部１２から出力されたビデオ信号に含まれる同期信号およびデータイネーブル信号を用いて、ＡＶ信号の表示形式を検出するための技術項目別の記述ルールを検出する。技術項目別の記述ルールの検出については図５、図６および図７を用いて後述する。記述ルール保持部２０は、ＡＶ信号の表示形式を検出するための複数の表示形式の技術項目別の記述ルールを保持する。具体的には、記述ルール保持部２０は、ＨＤＭＩ規格に準拠した記述ルールを登録しておく機能を有しており、論理回路またはマイクロコンピュータのソフトウェアにより実現できる。表示形式検出部１８は、ビデオ信号記述ルール検出部１６によって検出された技術項目別の記述ルールと記述ルール保持部２０が保持している技術項目別の記述ルールとを技術項目ごとに比較してＡＶ信号の表示形式を検出する。
【００２４】
動作モード制御部２２は、受信部１２に入力されたＡＶ信号について、ビデオ信号のブランキング期間においてオーディオ信号が含まれているか否かを検出する。そして、動作モード制御部２２は、表示形式検出部１８における表示形式の検出結果およびオーディオ信号の検出結果に応じて受信装置１０内の回路の動作を制御する。ここで、動作モード制御部２２は、論理回路により実現される。なお、動作モード制御部２２は、マイクロコンピュータのソフトウェアまたはパーソナルコンピュータのソフトウェアによって実現することも可能である。
【００２５】
図２は、ビデオ信号記述ルール検出部１６の構成を示すブロック図である。ビデオ信号記述ルール検出部１６は、水平信号記述ルール検出部２８、垂直信号記述ルール検出部３０およびパラレルシリアル変換部３２を含む。
水平信号記述ルール検出部２８には、ビデオ信号に含まれるデータイネーブル信号ＤＥおよび水平同期信号ＨＳＹＮＣが入力される。水平信号記述ルール検出部２８は、これらの入力された信号を用いて、受信したＡＶ信号の表示形式を検出するための技術項目別の記述ルールを検出し、検出した技術項目別の記述ルールを示す５種類の記述ルール信号を出力する。出力される信号は、水平極性信号ＨＰＯＬ、水平ピクセル値ＨＰＩＸＶＡＬ、水平フロントポーチ値ＨＦＰＶＡＬ、水平バックポーチ値ＨＢＰＶＡＬおよび水平同期値ＨＳＹＮＣＶＡＬをそれぞれ含む信号の５種類の信号である。
【００２６】
垂直信号記述ルール検出部３０には、ビデオ信号に含まれるデータイネーブル信号ＤＥおよび垂直同期信号ＶＳＹＮＣが入力される。垂直信号記述ルール検出部３０も、水平信号記述ルール検出部２８と同様に、これらの入力された信号を用いて、受信したＡＶ信号の表示形式を検出するための技術項目別の記述ルールを検出し、検出した技術項目別の記述ルールを示す５種類の記述ルール信号を出力する。出力される信号は、垂直極性信号ＶＰＯＬ、垂直ライン値ＶＬＩＮＶＡＬ、垂直フロントポーチ値ＶＦＰＶＡＬ、垂直バックポーチ値ＶＢＰＶＡＬおよび垂直同期値ＶＳＹＮＣＶＡＬをそれぞれ含む信号の５種類の信号である。
【００２７】
パラレルシリアル変換部３２には、水平信号記述ルール検出部２８から出力された５種類の記述ルール信号および垂直信号記述ルール検出部３０から出力された５種類の記述ルール信号の合計１０種類の記述ルール信号がパラレルに入力される。パラレルシリアル変換部３２は、入力された記述ルール信号についてパラレルシリアル変換処理を実行し、シリアル信号である検出記述ルール信号ＤＤＲを出力する。
【００２８】
図３は、水平信号記述ルール検出部２８の構成を示すブロック図である。水平信号記述ルール検出部２８は、ハザード除去回路３６、エッジ検出回路３８、ビデオタイミングカウンタ４０、ビデオタイミングレジスタ４２および極性検出回路４４を含む。ここでは、各回路における動作の概要を述べ、その動作の詳細は図５、図６および図７を用いて後述する。
【００２９】
ハザード除去回路３６は、データイネーブル信号ＤＥおよび水平同期信号ＨＳＹＮＣのハザードを除去した信号データイネーブル信号ＤＥ’および水平同期信号ＨＳＹＮＣ’を出力する。エッジ検出回路３８は、データイネーブル信号ＤＥ’および水平同期信号ＨＳＹＮＣ’を用いてデータイネーブル立上エッジ信号ＤＥＰ、データイネーブル立下エッジ信号ＤＥＮ、水平同期立上エッジ信号ＨＳＹＮＣＰおよび水平同期立下エッジ信号ＨＳＹＮＣＮを生成して出力する。
【００３０】
ビデオタイミングカウンタ４０は、データイネーブル信号ＤＥ’、データイネーブル立上エッジ信号ＤＥＰ、データイネーブル立下エッジ信号ＤＥＮ、水平同期立上エッジ信号ＨＳＹＮＣＰおよび水平同期立下エッジ信号ＨＳＹＮＣＮを用いて、水平ピクセル値、水平フロントポーチ値、水平バックポーチ値および水平同期値をカウントする。そして、そのカウントの結果は、水平ピクセルカウント値ＨＰＩＸＣＮＴ、フロントポーチカウント値ＨＦＰＣＮＴ、バックポーチカウント値ＨＢＰＣＮＴおよび水平同期カウント値ＨＳＹＮＣＣＮＴとして出力される。
ここで、水平ピクセル値は画像の１ラインにおけるピクセル数、水平フロントポーチ値は水平同期信号のフロントポーチ数、水平バックポーチ値は水平同期信号のバックポーチ数、水平同期値は水平同期信号がアクティブでない期間を示す。
【００３１】
ビデオタイミングレジスタ４２は、水平ピクセルカウント値ＨＰＩＸＣＮＴ、フロントポーチカウント値ＨＦＰＣＮＴ、バックポーチカウント値ＨＢＰＣＮＴおよび水平同期カウント値ＨＳＹＮＣＣＮＴを所定のタイミングで保持する。このとき、保持するタイミングは、データイネーブル立下エッジ信号ＤＥＮ、水平同期立上エッジ信号ＨＳＹＮＣＰおよび水平同期立下エッジ信号ＨＳＹＮＣＮを参照して決定される。これらの保持された値は、それぞれ水平ピクセル値ＨＰＩＸＶＡＬ、水平フロントポーチ値ＨＦＰＶＡＬ、水平バックポーチ値ＨＢＰＶＡＬおよび水平同期値ＨＳＹＮＣＶＡＬとして、表示形式検出部１８における表示形式の検出に用いられる。
【００３２】
極性検出回路４４は、水平同期信号ＨＳＹＮＣ’およびデータイネーブル立上エッジ信号ＤＥＰを用いて水平極性信号ＨＰＯＬを生成して出力する。水平極性信号ＨＰＯＬは、水平同期信号ＨＳＹＮＣがアクティブハイであるかアクティブローであるかを判断するための信号である。
【００３３】
なお、垂直信号記述ルール検出部３０の構成は、上述した水平信号記述ルール検出部２８の構成と基本的に同様である。垂直信号記述ルール検出部３０は、水平ピクセル値ＨＰＩＸＶＡＬではなく、１つの画像のライン数を示す垂直ライン値ＶＬＩＮＶＡＬを導出する点で水平信号記述ルール検出部２８と異なる。また、垂直信号記述ルール検出部３０は、データイネーブル信号ＤＥ’がビデオタイミングカウンタによるカウント動作において用いられない点で水平信号記述ルール検出部２８と異なる。
【００３４】
図４は、ビデオタイミングカウンタ４０およびビデオタイミングレジスタ４２の詳細な構成を示す図である。ビデオタイミングカウンタ４０は、ＨＳＹＮＣカウンタ５０、ＨＰＩＸカウンタ５２、ＨＦＰカウンタ５４およびＨＢＰカウンタ５６を含む。ＨＳＹＮＣカウンタ５０は水平同期値を、ＨＰＩＸカウンタ５２は水平ピクセル値を、ＨＦＰカウンタ５４は水平フロントポーチ値をＨＢＰカウンタ５６は水平バックポーチ値をカウントする。これらの値のカウントは所定期間のクロック数をカウントすることにより実行される。
【００３５】
ビデオタイミングレジスタ４２は、ＨＳＹＮＣレジスタ６０、ＨＰＩＸレジスタ６２、ＨＦＰレジスタ６４およびＨＢＰレジスタ６６を含む。ＨＳＹＮＣレジスタ６０は水平同期カウント値ＨＳＹＮＣＣＮＴを、ＨＰＩＸレジスタ６２は水平ピクセルカウント値ＨＰＩＸＣＮＴを、ＨＦＰレジスタ６４はフロントポーチカウント値ＨＦＰＣＮＴを、ＨＢＰレジスタ６６はバックポーチカウント値ＨＢＰＣＮＴを保持する。
ビデオタイミングカウンタ４０およびビデオタイミングレジスタ４２の動作については図６および図７を用いて後述する。
【００３６】
水平信号記述ルール検出部２８における信号の生成を説明する。垂直信号記述ルール検出部３０においても水平信号記述ルール検出部２８と同様の信号生成が行われるため、垂直信号記述ルール検出部３０については説明を省略する。
図５は、ハザード除去回路３６、エッジ検出回路３８および極性検出回路４４における信号の生成を示すタイミングチャートである。同図に示す信号ＣＬＫは、水平信号記述ルール検出部２８に入力されるクロック信号である。
【００３７】
図５に示す水平同期信号ＨＳＹＮＣの極性は正、すなわちアクティブハイである。ただし、水平同期信号ＨＳＹＮＣがハザード除去回路３６に入力された時点では、受信装置１０は水平同期信号ＨＳＹＮＣがアクティブハイであるかアクティブローであるかを認識していない。水平同期信号ＨＳＹＮＣ’は、水平同期信号ＨＳＹＮＣの値が変化した後、所定クロック数が経過するまで同じ値を維持したときに変化する。図５は、水平同期信号ＨＳＹＮＣがハイからローに変化した後３クロック経過したときに水平同期信号ＨＳＹＮＣ’をローからハイにし（矢印ａ）、水平同期信号ＨＳＹＮＣがローからハイに変化した後３クロックを経過したときに水平同期信号ＨＳＹＮＣ’をハイからローにする（矢印ｂ）例を示している。
【００３８】
一般に、水平同期信号ＨＳＹＮＣにおいてハザードが発生したとき、信号の値がごく短い期間変化する。ここで、水平同期信号ＨＳＹＮＣの値が変化した後、その値が所定期間維持されれば、水平同期信号ＨＳＹＮＣの値の変化がハザードによるものではないことを判別できる。本実施の形態では、水平同期信号ＨＳＹＮＣの変化後、同じ値のまま所定のクロック数を経過したときに水平同期信号ＨＳＹＮＣ’の値を変化させるので、ハザードによる値の変化を水平同期信号ＨＳＹＮＣの極性の変化と誤って検出することを回避できる。
【００３９】
データイネーブル信号ＤＥ’も、上述の水平同期信号ＨＳＹＮＣ’の生成と同様の方法により生成される。つまり、図５に示すように、データイネーブル信号ＤＥがローからハイに変化してから３クロックが経過するまで同じ値であるときにデータイネーブル信号ＤＥ’をローからハイに変化させる（矢印ｅ）。また、データイネーブル信号ＤＥがハイからローに変化してから３クロックが経過するまで同じ値であるときにデータイネーブル信号ＤＥ’をハイからローに変化させる（矢印ｆ）。ここで、データイネーブル信号ＤＥは、アクティブハイであることがあらかじめ定められており、データイネーブル信号ＤＥがハザード除去回路３６に入力された時点において、受信装置１０は水平同期信号ＨＳＹＮＣがアクティブハイであることを認識している。
このようにして、生成した水平同期信号ＨＳＹＮＣ’およびデータイネーブル信号ＤＥ’がハザード除去回路３６から出力される。
【００４０】
エッジ検出回路３８において、水平同期立上エッジ信号ＨＳＹＮＣＰは、水平同期信号ＨＳＹＮＣ’がローからハイとなったとき、１クロックの間ハイとなる（矢印ｃ）。水平同期立下エッジ信号ＨＳＹＮＣＮは、水平同期信号ＨＳＹＮＣ’がハイからローとなったときに、１クロックの間ハイとなる（矢印ｄ）。つまり、水平同期エッジ信号ＨＳＹＮＣＰは、水平同期信号ＨＳＹＮＣ’の立上を、水平同期エッジ信号ＨＳＹＮＣＮは、水平同期信号ＨＳＹＮＣ’の立下を検出する信号である。
【００４１】
エッジ検出回路３８において、データイネーブル立上エッジ信号ＤＥＰは、データイネーブル信号ＤＥ’がローからハイになったときに１クロックの間ハイとなる（矢印ｇ）。データイネーブル立下エッジ信号ＤＥＮは、データイネーブル信号ＤＥ’がハイからローとなったときに１クロックの間ハイとなる（矢印ｈ）。つまり、データイネーブル立上エッジ信号ＤＥＰは、データイネーブル信号ＤＥ’の立上を、データイネーブル立下エッジ信号ＤＥＮは、データイネーブル信号ＤＥ’の立下を検出する信号である。
【００４２】
極性検出回路４４は、データイネーブル立上エッジ信号ＤＥＰがローからハイとなった時点における水平同期信号ＨＳＹＮＣの値を検出し（矢印ｉおよび矢印ｊ）、その検出した値がローであるときはローからハイに変化し、ハイであるときはローのまま変化しない水平極性信号ＨＰＯＬを生成する。
【００４３】
データイネーブル信号ＤＥがアクティブである間は、常に水平同期信号ＨＳＹＮＣはアクティブではないので、このように、データイネーブル信号ＤＥ’がアクティブとなる時点における水平同期信号ＨＳＹＮＣの値を検出することにより、水平同期信号ＨＳＹＮＣがアクティブハイであるかアクティブローであるかを判断できる。つまり、水平極性信号ＨＰＯＬがローからハイに変化する場合は水平同期信号ＨＳＹＮＣはアクティブハイ、水平極性信号ＨＰＯＬがローのままである場合は水平同期信号ＨＳＹＮＣはアクティブローであると判断できる。図５においては、水平極性信号ＨＰＯＬはローからハイに変化しており、水平同期信号ＨＳＹＮＣはアクティブハイであると判断される。
【００４４】
図６は、水平ピクセルカウント値ＨＰＩＸＣＮＴを取得する過程を示すタイミングチャートである。同図に示す信号ＣＬＫは、水平信号記述ルール検出部２８に入力されるクロック信号である。以下に、ＨＰＩＸカウンタ５２によるカウントの開始および停止の条件、ＨＰＩＸレジスタ６２がカウントされた値を保持する条件を示す。
【００４５】
ＨＰＩＸカウント開始条件：  ”データイネーブル信号ＤＥ’の立上を検出”
ＨＰＩＸカウント停止条件：  ”データイネーブル信号ＤＥ’の立下を検出”
ＨＰＩＸ保持条件：  ”水平同期信号ＨＳＹＮＣ’の立上を検出”
【００４６】
データイネーブル信号ＤＥ’の立上が検出され、データイネーブル立上エッジ信号ＤＥＰが１クロックの間ハイになると、ＨＰＩＸカウント開始条件が満足されるので、ビデオタイミングカウンタ４０は、クロック数のカウントを開始する（矢印ｋ）。データイネーブル信号ＤＥ’の立下が検出され、データイネーブル立下エッジ信号ＤＥＮが１クロックの間ハイになると、ＨＰＩＸカウント停止条件が満足されるので、ビデオタイミングカウンタ４０はそのクロック数のカウントを停止し、その値を水平ピクセルカウント値ＨＰＩＸＣＮＴとして保持する（矢印ｌ）。水平同期信号ＨＳＹＮＣ’の立上が検出され、水平同期立上エッジ信号ＨＳＹＮＣＰが１クロックの間ハイになると、ＨＰＩＸ保持条件が満足されるので、水平ピクセルカウント値ＨＰＩＸＣＮＴがＨＰＩＸレジスタ６２に保持される（矢印ｍおよび矢印ｎ）。なお、これと同時にＨＰＩＸカウンタ５２の値は０にリセットされる。
【００４７】
垂直信号記述ルール検出部３０においても、水平信号記述ルール検出部２８と同様にビデオタイミングカウンタおよびビデオタイミングレジスタが動作する。
ただし、上述したように、垂直信号記述ルール検出部３０は、水平ピクセル値ＨＰＩＸＶＡＬではなく、垂直ライン値ＶＬＩＮＶＡＬを導出する点で水平信号記述ルール検出部２８と異なる。垂直同期信号ＶＳＹＮＣ’の立上が検出されるまでの間にデータイネーブル信号ＤＥ’の立上および立下は複数回検出される。この場合、ＨＰＩＸカウンタ５２は、データイネーブル信号ＤＥ’の立下が検出されたとき、その時点までカウントした値を保持したままカウント動作を停止し、データイネーブル信号ＤＥ’の立上が検出されたときに、その値からカウント動作を再開する。
【００４８】
ＨＰＩＸカウンタ５２によりカウントされるべき値は、１画面のピクセル数であり、その数は必ずしも少なくないため、ＨＰＩＸカウンタ５２がその値をカウントすることが不可能であることも考えられる。このような場合、ＨＰＩＸカウンタ５２は、データイネーブル信号ＤＥ’の立上を検出した回数をカウントすることもできる。これにより、１画面のすべてのピクセル数がカウントされたことが認識されうるので、技術項目別の記述ルールの検出が可能となる。
【００４９】
図７は、フロントポーチカウント値ＨＦＰＣＮＴ、バックポーチカウント値ＨＢＰＣＮＴおよび水平同期カウント値ＨＳＹＮＣＣＮＴを取得する過程を示すタイミングチャートである。同図に示す信号ＣＬＫは、水平信号記述ルール検出部２８に入力されるクロック信号である。
以下に、ＨＦＰカウンタ５４、ＨＢＰカウンタ５６およびＨＳＹＮＣカウンタ５０によるカウントの開始および停止の条件、ＨＦＰレジスタ６４、ＨＢＰレジスタ６６およびＨＳＹＮＣレジスタ６０がカウントされた値を保持する条件を示す。
【００５０】
ＨＦＰカウント開始条件：  ”データイネーブル信号ＤＥ’の立下を検出”
ＨＦＰカウント停止条件：  ”水平同期信号ＨＳＹＮＣ’の立上を検出”
ＨＦＰＣＮＴ保持条件：  （Ａ）”水平同期信号ＨＳＹＮＣ’の立上を検出”かつ（Ｂ）”ＨＦＰカウンタ５４の値が「０」より大きい”
【００５１】
ＨＢＰカウント開始条件：  （Ａ）”水平同期信号ＨＳＹＮＣ’の立下を検出”かつ（Ｂ）”ＨＦＰカウンタ５４の値が「０」”
ＨＢＰカウント停止条件：  ”データイネーブル信号ＤＥ’の立上を検出”
ＨＢＰＣＮＴ保持条件：  （Ａ）”データイネーブル信号ＤＥ’の立上を検出”かつ（Ｂ）”ＨＢＰカウンタ５６の値が「０」より大きい”
【００５２】
ＨＳＹＮＣカウント開始条件：  （Ａ）”水平同期信号ＨＳＹＮＣ’立上検出”かつ（Ｂ）”ＨＦＰカウンタ５４の値が「０」より大きい”
ＨＳＹＮＣカウント停止条件：  ”水平同期信号ＨＳＹＮＣ’の立下を検出”
ＨＳＹＮＣＣＮＴ保持条件：  （Ａ）”水平同期信号ＨＳＹＮＣ’の立下を検出”かつ（Ｂ）”ＨＦＰカウンタ５４およびＨＢＰカウンタ５６の値が「０」”
【００５３】
データイネーブル信号ＤＥ’の立下が検出され、データイネーブル立下エッジ信号ＤＥＮが１クロックの間ハイになると、ＨＦＰカウント開始条件が満足されるので、ＨＦＰカウンタ５４はクロック数のカウントを開始する（矢印ｐ）。水平同期信号ＨＳＹＮＣ’の立上が検出され、水平同期立上エッジ信号ＨＳＹＮＣＰが１クロックの間ハイなると、ＨＦＰカウント停止条件が満足されるので、ＨＦＰカウンタ５４はそのクロック数のカウントを停止する（矢印ｑ）。このとき、ＨＦＰカウンタ５４の値は「０」より大きいので、ＨＦＰＣＮＴ保持条件の（Ａ）および（Ｂ）が満足され、ＨＦＰカウンタ５４にカウントされた値は、フロントポーチカウント値ＨＦＰＣＮＴとしてＨＦＰレジスタ６４に保持される（矢印ｒおよび矢印ｕ）。また、これと同時に、ＨＦＰカウンタ５４の値は「０」にリセットされる。
【００５４】
水平同期信号ＨＳＹＮＣ’の立下が検出され、水平同期立下エッジ信号ＨＳＹＮＣＮが１クロックの間ハイになった時点で、ＨＦＰカウンタ５４の値はリセットされて「０」となっている。従って、ＨＢＰカウント開始条件が満足されるので、ＨＢＰカウンタ５６は、クロック数のカウントを開始する（矢印ｖおよび矢印ｗ）。データイネーブル信号ＤＥ’の立上が検出され、データイネーブル立上エッジ信号ＤＥＰが１クロックの間ハイになると、ＨＢＰカウント停止条件が満足されるので、ＨＢＰカウンタ５６は、そのクロック数のカウントを停止する（矢印ｘ）。このとき、ＨＢＰカウンタ５６の値は「０」より大きいので、ＨＢＰＣＮＴ保持条件の（Ａ）および（Ｂ）が満足され、ＨＢＰカウンタ５６にカウントされた値は、バックポーチカウント値ＨＢＰＣＮＴとしてＨＢＰレジスタ６６に保持される（矢印ｙおよび矢印ｚ）。また、これと同時に、ＨＢＰカウンタ５６の値は「０」にリセットされる。
【００５５】
水平同期信号ＨＳＹＮＣ’立上が検出され、水平同期立上エッジ信号ＨＳＹＮＣＰが１クロックの間ハイになった時点で、ＨＦＰカウンタ５４の保持する値は「０」より大きい。従って、ＨＳＹＮＣカウント開始条件が満足されるので、ＨＳＹＮＣカウンタ５０は、クロック数のカウントを開始する（矢印ａ’および矢印ｂ’）。水平同期信号ＨＳＹＮＣ’の立下が検出され、水平同期立下エッジ信号ＨＳＹＮＣＮが１クロックの間ハイになると、ＨＳＹＮＣカウント停止条件が満足されるので、ＨＳＹＮＣカウンタ５０は、そのクロック数のカウントを停止する（矢印ｃ’）。このとき、ＨＦＰカウンタ５４およびＨＢＰカウンタ５６の値はリセットされて「０」となっているので、ＨＳＹＮＣＣＮＴ保持条件の（Ａ）および（Ｂ）が満足され、ＨＳＹＮＣカウンタ５０によりカウントされた値は、水平同期カウント値ＨＳＹＮＣＣＮＴとしてＨＳＹＮＣレジスタ６０に保持される（矢印ｄ’〜矢印ｇ’）。また、これと同時に、ＨＳＹＮＣカウンタ５０の値は「０」にリセットされる。
【００５６】
図８は、記述ルール保持部２０が保持する表示形式の技術項目別の記述ルールを記述したテーブルの例を示す図である。同図に示すように、記述ルール保持部２０は、表示形式検出部１８による表示形式の検出において参照される複数の表示形式の技術項目別の記述ルールを記述したテーブル７０（以下、「表示形式テーブル７０」とも表記する）をあらかじめ保持している。表示形式テーブル７０に記述された表示形式はすべて受信装置１０が対応している表示形式である。図示した表示形式テーブル７０には、「ＰＯＬ」、「ＦＰＶＡＬ」、「ＢＰＶＡＬ」、「ＨＰＩＸＶＡＬ」、「ＶＬＩＮＶＡＬ」、「ＳＹＮＣＶＡＬ」の６種類の技術項目の記述ルールが記述されている。「ＰＯＬ」は、水平同期信号ＨＳＹＮＣおよび垂直同期信号ＶＳＹＮＣのそれぞれがアクティブハイであるかアクティブローであるか、「ＦＰＶＡＬ」はフロントポーチ数、「ＢＰＶＡＬ」はバックポーチ数、「ＨＰＩＸＶＡＬ」は、１ラインにおけるピクセル数、「ＶＬＩＮＶＡＬ」は１画面におけるライン数、「ＳＹＮＣＶＡＬ」は水平同期信号ＨＳＹＮＣおよび垂直同期信号ＶＳＹＮＣのそれぞれがアクティブでない期間を表す。同図では、表示形式テーブル７０に表示形式Ｘ、ＹおよびＺの３種類の表示形式について技術項目別の記述ルールが記述されている。
【００５７】
表示形式検出部１８は、ビデオ信号記述ルール検出部１６により検出された技術項目別の記述ルールと、記述ルール保持部２０に保持されている表示形式テーブル７０に記述された各表示形式の技術項目別の記述ルールとをそれぞれ比較する。その結果、ビデオ信号記述ルール検出部１６により検出された技術項目別の記述ルールのそれぞれが、例えば、表示形式Ｘに示す技術項目別の記述ルールと一致する場合、表示形式検出部１８は、受信したＡＶ信号の表示形式は、表示形式Ｘであると判定する。動作モード制御部２２は、この判定結果に応じて、表示形式Ｘに対応する動作モードで動作するよう受信装置１０内の回路を制御する。このように、動作モード制御部２２が、検出された表示形式に応じて動作モードを制御することにより、複数の表示形式のそれぞれに適応した受信装置の動作を実現できる。
【００５８】
以上の構成にもとづく受信装置１０の動作を以下で説明する。
図９は、受信装置１０の動作を示すフローチャートである。まず、ユーザは、例えばＤＶＤプレイヤーやＰＣなどのＡＶ信号を送信する装置と画像表示装置１００とをＨＤＭＩ規格に準拠したケーブルにより接続する。ユーザが送信装置の操作して、画像表示装置１００へＡＶ信号を送信すると、受信装置１０は、そのＡＶ信号を受信する（Ｓ１０）。次いで、ビデオ信号記述ルール検出部１６が、ＡＶ信号の表示形式を特定するための技術項目別の記述ルールを検出する（Ｓ１２）。表示形式検出部１８は、ビデオ信号記述ルール検出部１６により検出された技術項目別の記述ルールと記述ルール保持部２０に保持されている表示形式の技術項目別の記述ルールとを比較して、受信したＡＶ信号の表示形式を検出する（Ｓ１４）。
【００５９】
表示形式検出部１８による表示形式の検出の結果、検出された表示形式が記述ルール保持部２０に保持されている表示形式のいずれかである場合（Ｓ１６のＹ）、動作モード制御部２２は、ＡＶ信号の処理に使用されない回路が受信装置１０内にあるか否かを判定する（Ｓ１８）。判定の結果、使用されない回路がある場合（Ｓ１８のＹ）、動作モード制御部２２は、その使用されない回路へのクロックの供給を停止させることによりパワーダウンさせて、回路の動作を停止する制御を実行する（Ｓ２０）。これにより、受信装置１０の消費電力の低減を図ることができる。
【００６０】
また、動作モード制御部２２は、上述したように、受信部１２に入力されたＡＶ信号について、ビデオ信号のブランキング期間に含まれるオーディオ信号を検出する。これにより、オーディオ信号が検出されない場合には、動作モード制御部２２はオーディオ信号の処理に使用されない受信装置１０内の回路の動作を制限する制御を実行することも可能である。この場合、動作モード制御部２２は、例えば、オーディオ信号の処理に使用される回路をパワーダウンさせて回路の動作を停止させる。具体的には、それらのオーディオ信号の処理に使用されない回路へのクロックの供給を停止するような制御を実行する。これによっても、受信装置１０全体の消費電力の低減を実現できる。
【００６１】
Ｓ１６において、検出した表示形式が記述ルール保持部２０に保持されているいずれの表示形式でもない場合（Ｓ１６のＮ）、表示形式検出部１８は、受信したＡＶ信号の表示形式は、受信装置１０が対応できる表示形式ではない、つまり、非対応の表示形式であると判定する。そして、動作モード制御部２２は、受信部１２の回路の動作を停止させる制御を実行する（Ｓ２２）。例えば、動作モード制御部２２は、受信部１２内の回路をパワーダウンさせる。具体的には、例えば、動作モード制御部２２は、受信部１２へのクロックの供給を停止する制御を実行して受信動作を制限する。このように、ＡＶ信号の受信を停止することにより、受信装置１０が対応していない表示形式のＡＶ信号に起因する受信装置１０の誤動作を回避できる。また、受信装置１０が対応していない表示形式のＡＶ信号が規定動作周波数以上の信号である場合、許容パワーを超えることに起因する受信装置１０の破損を回避できる。Ｓ１８において、受信したＡＶ信号の処理に使用されない回路がない場合（Ｓ１８のＮ）、受信装置１０内の回路の動作は停止されず、受信装置１０は、検出された表示形式に応じた動作モードにより動作する。
【００６２】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。例えば、以下のような変形例が考えられる。
【００６３】
本実施の形態では、画像表示装置１００へ伝送される信号はＨＤＭＩ規格に準拠したが、変形例として、伝送される信号がＤＶＩ規格に準拠する信号であってもよい。これによっても、受信信号の表示形式が受信装置１０が対応する表示形式ではないときに、受信部１２の受信動作を停止させて、受信装置１０の誤動作を回避できる。また、ＤＶＩ規格に準拠する信号にはオーディオデータは含まれないため、動作モード制御部２２が、オーディオ信号を処理する回路の動作を停止する制御を実行することにより、消費電力の低減を実現できる。
【００６４】
本実施の形態では、表示形式検出部１８の検出結果に応じて、動作モード制御部２２が受信装置１０内の回路の動作を制限する例について説明した。変形例として、受信装置１０にデータ加工部を設け、データ加工部が表示形式検出部１８における検出結果に応じてデータを加工してもよい。
一般に、受信装置においては、各表示形式のビデオデータについて所定の演算を実行して、画像表示部２６に良好に表示されるようにピクセルデータを補間したり間引いたりするスケーリング処理を施す。例えば、この変形例において、データ加工部は、各表示形式とスケーリング処理の結果とを対応させたテーブルをあらかじめ保持しておき、表示形式検出部１８の検出結果に応じてそのテーブルを参照すれば、スケーリング処理の演算を行うことなく簡便にスケーリング処理の結果を取得できる。これにより、受信装置１０内の回路の負担を軽減できる。
【００６５】
本実施の形態では、表示形式検出部１８は、検出された技術項目別の記述ルールと、表示形式テーブル７０に記述されたすべての技術項目別の記述ルールとを比較した。変形例として、ユーザの設定により、検出された技術項目別の記述ルールと表示形式テーブル７０に記述された技術項目別の記述ルールの一部とを比較してもよい。
【００６６】
本実施の形態では、検出された技術項目別の記述ルールが表示形式テーブル７０に記述された表示形式の技術項目別の記述ルールと一致するか否かにより、ＡＶ信号の受信信号の表示形式が受信装置１０が対応する表示形式であるか否かを判定した。変形例として、所定の許容誤差を設けて、技術項目別の記述ルールが一致しない場合でも、その許容誤差以内であれば、受信したＡＶ信号の表示形式は受信装置１０が対応する表示形式であると判定してもよい。これによって、受信信号に対する受信装置１０の動作の柔軟性を確保できる。
【図面の簡単な説明】
【００６７】
【図１】実施の形態に係る電子機器の構成を示すブロック図である。
【図２】ビデオ信号記述ルール検出部の構成を示すブロック図である。
【図３】水平信号記述ルール検出部の構成を示すブロック図である。
【図４】ビデオタイミングカウンタおよびビデオタイミングレジスタの詳細な構成を示す図である。
【図５】ハザード除去回路、エッジ検出回路および極性検出回路における信号の生成を示すタイミングチャートである。
【図６】水平ピクセルカウント値を取得する過程を示すタイミングチャートである。
【図７】フロントポーチカウント値、バックポーチカウント値および水平同期カウント値を取得する過程を示すタイミングチャートである。
【図８】記述ルール保持部が保持する表示形式テーブルの例を示す図である。
【図９】受信装置の動作を示すフローチャートである。
【符号の説明】
【００６８】
１０  受信装置、  １２  受信部、  １６  ビデオ信号記述ルール検出部、  １８  表示形式検出部、  ２０  記述ルール保持部、  ２２  動作モード制御部、  ２４  スピーカ、  ２６  画像表示部、  ２８  水平信号記述ルール検出部、  ３０  垂直信号記述ルール検出部、  ３２  パラレルシリアル変換部、  ３６  ハザード除去回路、  ３８  エッジ検出回路、  ４０  ビデオタイミングカウンタ、  ４２  ビデオタイミングレジスタ、  ４４  極性検出回路、  ５０  ＨＳＹＮＣカウンタ、  ５２  ＨＰＩＸカウンタ、  ５４  ＨＦＰカウンタ、  ５６  ＨＢＰカウンタ、  ６０  ＨＳＹＮＣレジスタ、  ６２  ＨＰＩＸレジスタ、  ６４  ＨＦＰレジスタ、  ６６  ＨＢＰレジスタ、  ７０  表示形式テーブル、  １００  画像表示装置。
【図１】
2007110215.tif 000003
【図２】
2007110215.tif 000004
【図３】
2007110215.tif 000005
【図４】
2007110215.tif 000006
【図５】
2007110215.tif 000007
【図６】
2007110215.tif 000008
【図７】
2007110215.tif 000009
【図８】
2007110215.tif 000010
【図９】
2007110215.tif 000011